(57)【要約】【課題】給水ケースに洗剤を投入した際に、給水ケース内に洗剤が溶け残って堆積することがなく、洗剤を回転槽内へ確実に供給できる洗濯機を提供する。【解決手段】本実施形態の洗濯機は、洗濯機本体と、水槽と、回転槽と、給水装置とを具備している。給水装置は、給水弁と、給水ケースとを備えている。給水ケースは、給水弁からの水を受けて貯留する。給水ケースは、水受け部と、貯留部とを備えている。水受け部は、給水弁からの水を受ける。貯留部は、水受け部より低い位置に設けられ、水受け部からの水を貯留する。貯留部を形成する壁面のうち、回転槽内を上方から臨む壁面に、貯留部内の水を回転槽内に供給する注水孔を設ける。水受け部の底面を貯留部側へ前上がりに傾斜させる。【選択図】図１
2012029710.tif 000002
【特許請求の範囲】
【請求項１】
上面部に洗濯物出入口を有する洗濯機本体と、
前記洗濯機本体内に弾性支持された水槽と、
前記水槽内に回転可能に設けられた回転槽と、
前記洗濯機本体の上部に設けられ、前記回転槽内に給水する給水装置とを具備し、
前記給水装置は、給水源に接続された給水弁と、前記給水弁からの水を受けて貯留する給水ケースとを備え、
前記給水ケースは、前記給水弁からの水を受ける水受け部と、前記水受け部より低い位置に設けられ、前記水受け部からの水を貯留する貯留部とを備え、
前記貯留部を形成する壁面のうち、前記回転槽内を上方から臨む壁面に、前記貯留部内の水を前記回転槽内に供給する注水孔を設け、
前記水受け部の底面を前記貯留部側へ前上がりに傾斜させたことを特徴とする洗濯機。
【請求項２】
前記水受け部の前記貯留部とは反対側の端部に、前記回転槽内に通じる通水孔を設けたことを特徴とする請求項１記載の洗濯機。
【請求項３】
前記水受け部の底部上面に、前記給水弁からの給水死角となる部分に水を案内する案内リブを設けたことを特徴とする請求項２記載の洗濯機。
【請求項４】
前記貯留部は、前記給水ケースの前方に設けられ、
前記貯留部の最下部に複数の透孔を設けたことを特徴とする請求項１から３いずれか１項記載の洗濯機。
【請求項５】
前記水受け部の底部裏面に、前記通水孔からの水を前記回転槽内の中央方向へ案内する案内リブを設けたことを特徴とする請求項２から４のいずれか１項に記載の洗濯機。
【発明の詳細な説明】
【技術分野】
【０００１】
本発明の実施形態は、洗濯機に関する。
【背景技術】
【０００２】
従来より、洗濯機においては、回転槽を収容する水槽の上方に給水弁、給水ケース、給水管等からなる給水装置を備え、この給水装置の給水管から回転槽の内部に向かって水を落下させて注水している。
上記構成のものでは、給水装置の給水管の真下に位置する洗濯物にしか直接水がかからないため、注水される範囲が限定され、洗濯物へ広範囲に注水することができない。従って、一部の洗濯物のみに水が直接浸透し、それより周りの洗濯物には除々に水が浸透していくしかなく、洗濯物の水浸かりが遅くなる。水浸かりが遅くなると、給水初期の低水位での洗浄効果が下がり、ひいては洗濯時間が長くなるという問題がある。
【０００３】
そこで、最近では、洗濯物へ広範囲に注水するために、給水ケースの前方に給水弁からの水を貯留する貯留部を設け、そして、この貯留部の側壁面に注水孔を設けて、前記貯留部に貯留された水の圧力により注水孔から水を噴射させて、回転槽内へ広範囲にわたって注水するようにしたものが考えられている。
このような構成の洗濯機において、給水ケースに洗剤を投入すると、洗剤量によっては給水ケース内、特に貯留部に洗剤が溶け残って堆積し、洗濯性能に悪影響を及ぼすおそれがある。
【先行技術文献】
【特許文献】
【０００４】
【特許文献１】特開平９−６６１９４号公報
【発明の概要】
【発明が解決しようとする課題】
【０００５】
そこで、給水ケースに洗剤を投入した際に、給水ケース内に洗剤が溶け残って堆積することがなく、洗剤を回転槽内へ確実に供給できる洗濯機を提供する。
【課題を解決するための手段】
【０００６】
本実施形態の洗濯機は、洗濯機本体と、水槽と、回転槽と、給水装置とを具備している。洗濯機本体は、上面部に洗濯物出入口を有する。水槽は、前記洗濯機本体内に弾性支持されている。回転槽は、前記水槽内に回転可能に設けられている。給水装置は、前記洗濯機本体の上部に設けられ、前記回転槽内に給水する。前記給水装置は、給水弁と、給水ケースとを備えている。給水弁は、給水源に接続されている。給水ケースは、前記給水弁からの水を受けて貯留する。前記給水ケースは、水受け部と、貯留部とを備えている。水受け部は、前記給水弁からの水を受ける。貯留部は、前記水受け部より低い位置に設けられ、前記水受け部からの水を貯留する。前記貯留部を形成する壁面のうち、前記回転槽内を上方から臨む壁面に、前記貯留部内の水を前記回転槽内に供給する注水孔を設ける。前記水受け部の底面を前記貯留部側へ前上がりに傾斜させる。
【図面の簡単な説明】
【０００７】
【図１】本実施形態の図３をＡ−Ａ線に沿って切断して示す縦断側面図
【図２】本実施形態の洗濯機の縦断側面図
【図３】本実施形態の水路カバーを外した状態の給水装置の上面図
【図４】本実施形態の給水ケースを前方の斜め上方から見た分解斜視図
【図５】本実施形態の給水ケースを後方の斜め上方から見た分解斜視図
【図６】本実施形態の給水ケースを後方の斜め下方から見た分解斜視図
【図７】本実施形態の給水ケースの上面図
【図８】本実施形態の給水ケースの正面図
【図９】本実施形態の作用を説明するための図
【発明を実施するための形態】
【０００８】
以下、一実施形態について図面を参照して説明する。
まず、図２には、縦型の洗濯機の縦断面図が示されている。なお、図２において左方を洗濯機の前方とする。洗濯機本体１は、洗濯機の外郭をなす外箱２の上面開口部にトップカバー３が装着されて構成されている。トップカバー３には、洗濯物を出し入れするための洗濯物出入口３ａが設けられている。外箱２内には、水槽４が設けられている。水槽４は、上端が開口した有底円筒状をなし、中心軸が上下方向に延びていて、図示しない弾性支持機構により吊持され弾性支持されている。
【０００９】
水槽４には、洗濯兼脱水槽である回転槽５が水槽４の中心軸を中心に回転可能に設けられている。回転槽５は、上端が開口した有底円筒状をなし、中心軸が上下方向に延びていて、内部に洗濯物が収納される。回転槽５の内壁面には、多数の脱水孔５ａが設けられているとともに、上下方向に延びる循環水路６が配設されている。循環水路６の主体部を構成するカバー部材７は、合成樹脂により上下方向に長い形状に形成されていて、回転槽５の内側壁面に取り付けられている。
【００１０】
カバー部材７の上部には、洗剤投入口８が設けられていて、この洗剤投入口８を開閉する投入カバー９が設けられている。カバー部材７の下端部は開口され流出口１０が設けられている。カバー部材７の内部には、図示しないリントフィルタが収納され、このリントフィルタの左右両側には、洗剤投入口８と流出口１０とを連通させた図示しない洗剤案内路が設けられている。洗剤投入口８に投入された洗剤は、前記洗剤案内路を通り流出口１０より回転槽５の底部に投入される。
【００１１】
回転槽５の上端部には、液体封入型のバランスリング１１が設けられている。バランスリング１１は、回転槽５の回転時のバランスを維持するものである。回転槽５の内側の底部には、パルセータ１２が回転可能に設けられ、水槽４の外側底面には、モータ１３及びクラッチ機構部１４が設けられている。モータ１３は、回転槽５及びパルセータ１２を回転駆動させる駆動源であり、回転槽５及びパルセータ１２にクラッチ機構部１４を介して接続されている。クラッチ機構部１４は、モータ１３の駆動力を回転槽５及びパルセータ１２の一方または両方に伝達するように切り換える機構を有している。
【００１２】
水槽４の底部には、導出管１５が接続されている。導出管１５は、水槽４に貯留した洗濯水を排出するためのものである。この導出管１５には、排水弁１６を介して排水管１７が接続されている。排水管１７の端部は、洗濯機本体１の外部に導出されていて、排水弁１６が開くことにより水槽４内の洗濯水が排出される。
【００１３】
トップカバー３の上面中央部には、蓋１９が設けられている。蓋１９が折り畳まれることにより、洗濯機本体１の洗濯物出入口３ａが開放される。水槽４の上端部には、水槽４の上部内周縁を覆う水槽カバー２０が設けられている。この水槽カバー２０には、回転槽５の開口部５ｂに対応する開口部２０ａが設けられている。
【００１４】
トップカバー３の前面部の外側には、図２に示すように操作パネル６１が設けられ、トップカバー３の前面部の内部には、制御装置６２が設けられている。制御装置６２は、例えばマイクロコンピュータからなり、水槽４内の水位を検知するように設けた水位センサ（図示せず）からの水位検知信号、操作パネル６１に設けられた操作部（図示せず）からの操作信号、モータ１３の回転数を検知するように設けられた回転センサ（図示せず）からの回転数検知信号等が入力されるようになっている。
【００１５】
トップカバー３内の後部には、給水装置２１が設けられている。給水装置２１は、水道等の給水源から供給される水を回転槽５内に供給するものであり、給水弁２２、水路ケース２３、及び給水ケース２４などを備えている。具体的には、図１及び図３に示すように、給水装置２１は、その上部に給水弁２２及び水路ケース２３を備え、その下部に給水ケース２４が収納される給水ケース収納部２１ａが設けられている。給水ケース２４は、給水ケース収納部２１ａに対して前後に出し入れでき、着脱可能に収納されている。
【００１６】
また、トップカバー３内の後部には、給水ポンプ２５が設けられている。給水ポンプ２５は、風呂水ホース（図示せず）を介して風呂等の水道とは別の給水源から水を汲み上げるためのものであり、接続ホース（図示せず）を介して水路ケース２３に接続されている。給水ポンプ２５が風呂水ホースを通して汲み上げた風呂水は、接続ホースを通って風呂水給水口３４から水路ケース２３内に供給される。
【００１７】
水路ケース２３は、図１及び図３に示すように、内部に第１の水路２６、第２の水路２７、及び第３の水路２８が設けられている。具体的には、水路ケース２３は、底壁２９と、この底壁２９の外周縁に立設された外周壁３０と、内部に立設された仕切壁３１と、水路ケース２３の上端部を覆い且つ外周壁３０及び仕切壁３１の上端部に液密に当接する水路カバー３２とを備えている。仕切壁３１は、水路ケース２３内の空間を仕切り、第１の水路２６、第２の水路２７、及び第３の水路２８を形成する。
【００１８】
第１の水路２６は、水路ケース２３内にあって、外周壁３０の右側壁部３０ａ及び前側壁部３０ｂと仕切壁３１とにより区画されていて、給水弁２２の前方に位置する第１水路部２６ａと、この第１水路部２６ａの左側に連通する第２水路部２６ｂとから構成されている。第２水路部２６ｂの底壁には、水道水用の落水孔３２ａが複数設けられている。
【００１９】
第２の水路２７は、水路ケース２３内にあって、外周壁３０の後側壁部３０ｃと仕切壁３１との間に形成された第３水路部２７ａと、この第３水路部２７ａと左側に連通するように外周壁３０の前側壁部３０ｂと後側壁部３０ｃとの間に形成された第４水路部２７ｂとから構成されている。第４水路部２７ｂの底壁には、落水孔３３が複数設けられている。
【００２０】
第３の水路２８は、水路ケース２３内にあって、仕切壁３１に囲まれて形成されている。第３の水路２８の底壁には、風呂水用の落水孔３２ｂが複数設けられている。
給水装置２１は、例えば二連式の給水弁２２を備え、この給水弁２２は、第１の給水弁２２ａと、第２の給水弁２２ｂと、第１の給水弁２２ａ及び第２の給水弁２２ｂに給水するための給水接続口２２ｃとを有している。
【００２１】
水路ケース２３の後側壁部３０ｃには、第１の給水弁２２ａの吐出口３５と対応する位置に第１の入水口２３ａが設けられ、この第１の入水口２３ａを介して、吐出口３５と第１の水路２６とは連通する。同様に、第２の給水弁２２ｂの吐出口３６と対応する位置に第２の入水口２３ｂが設けられ、この第２の入水口２３ｂを介して、吐出口３６と第２の水路２７とは連通する。
【００２２】
詳しくは後述するが、第１の給水弁２２ａは、洗い行程及びすすぎ行程時における回転槽５への給水時に開放し、第１の給水弁２２ａから吐出された水（図３中、矢印Ｃ１）は、第１の水路２６の第１水路部２６ａ（図３中、矢印Ｃ２）、第２水路部２６ｂ（図３中、矢印Ｃ３）を通り、落水孔３２ａより落下し、給水ケース２４の水受け部３７に受けられ、水貯留部３８（貯留部）に貯留される。
【００２３】
一方、第２の給水弁２２ｂは、すすぎ時における回転槽５内への柔軟剤等の洗濯助剤供給時に開放し、第２の給水弁２２ｂから吐出された水（図３中、矢印Ｄ１）は、第２の水路２７の第３水路部２７ａ（図３中、矢印Ｄ２，Ｄ３，Ｄ４）、第４水路部２７ｂ（図３中、矢印Ｄ５）を通り、落水孔３３より落下し、給水ケース２４の洗濯助剤貯留部３９に貯留される。給水接続口２２ｃには、水道等の給水源、例えば水道の蛇口に接続されたホース（図示せず）の一端が接続される。
【００２４】
なお、風呂水を使用する場合には、洗い行程及びすすぎ行程時における回転槽５への給水時に、給水ポンプ２５により浴槽から汲み上げられた風呂水は、風呂水給水口３４から水路ケース２３内に吐出される。そして、風呂水は、第３の水路２８（図３中、矢印Ｅ）を通り、落水孔３２ｂより落下し、給水ケース２４の水受け部３７に受けられ、水貯留部３８に貯留される。
【００２５】
次に、図４から図８をも参照して給水ケース２４について詳細に説明する。
給水ケース２４は、合成樹脂から形成され、その前部に水路ケース２３から落下してきた水を貯留する水貯留部３８を備え、その後側には、給水ケース２４を幅方向に二分するように、右側に水受け部３７と左側に洗濯助剤貯留部３９とが設けられている。水貯留部３８は、その後端部に水受け部３７と連通するための開口部３８ａを有している。
【００２６】
水貯留部３８は、その正面から見て上部に円弧状に前方へ張り出すよう形成された手掛け部前面壁４０を有し、この手掛け部前面壁４０の背部に手掛け部４１が設けられている。この手掛け部４１は、水貯留部３８内方に円弧状に張り出すように形成された貯留部前面壁４２、手掛け部前面壁４０、及び上面壁４１ａにより仕切られて形成されている。手掛け部４１は下端が開口していて、使用者はこの開口から給水ケース２４に指を掛けることができる。
【００２７】
貯留部前面壁４２の手掛け部４１の左右両側には、前方へ膨出するように略円弧状に形成された側壁面たる左側前面壁部４２ａ及び右側前面壁部４２ｂが設けられている。左側前面壁部４２ａ及び右側前面壁部４２ｂは、回転槽５内を上方から臨むように設けられている。
【００２８】
左側前面壁部４２ａには、左右横方向の外側から内側に向かって順に、注水孔である左側第１注水孔４３ａ、左側第２注水孔４３ｂ、及び左側第３注水孔４３ｃが、左側前面壁部４２ａ表面に対してそれぞれ面直に形成されていて、それぞれの中心軸線方向が異なるように設けられている。すなわち、左側第１注水孔４３ａ、左側第２注水孔４３ｂ、及び左側第３注水孔４３ｃから噴射される水の方向は上方から見てそれぞれ異なる。
【００２９】
そして、左側第１注水孔４３ａは、左側第２注水孔４３ｂに対して径大で且つ低い位置に設けられていて、左側第２注水孔４３ｂは、左側第３注水孔４３ｃに対して径大で且つ低い位置に設けられている。すなわち、これら注水孔４３ａ，４３ｂ，４３ｃは、それぞれ高低差を有する位置に設けられ、下側に位置する注水孔が他の上側に位置する注水孔より大きくなるように設けられている。
【００３０】
一方、右側前面壁部４２ｂには、上述した左側前面壁部４２ａと同様に、左右横方向の外側から内側に向かって順に、注水孔である右側第１注水孔４４ａ、右側第２注水孔４４ｂ、及び右側第３注水孔４４ｃが、右側前面壁部４２ｂ表面に対してそれぞれ面直に形成されていて、それぞれの中心軸線方向が異なるように設けられている。すなわち、右側第１注水孔４４ａ、右側第２注水孔４４ｂ、及び右側第３注水孔４４ｃから噴射される水の方向は上方から見てそれぞれ異なる。
【００３１】
そして、右側第１注水孔４４ａは、右側第２注水孔４４ｂに対して径大で且つ低い位置に設けられていて、右側第２注水孔４４ｂは、右側第３注水孔４４ｃに対して径大で且つ低い位置に設けられている。すなわち、これら注水孔４４ａ，４４ｂ，４４ｃは、それぞれ高低差を有する位置に設けられ、下側に位置する注水孔が他の上側に位置する注水孔より大きくなるように設けられている。
【００３２】
なお、左側前面壁部４２ａの左側第１注水孔４３ａ、左側第２注水孔４３ｂ、及び左側第３注水孔４３ｃ、並びに、右側前面壁部４２ｂの右側第１注水孔４４ａ、右側第２注水孔４４ｂ、及び右側第３注水孔４４ｃは、水受け部３７の底壁４６より低い位置に設けられている。
【００３３】
水貯留部３８は、上面が開口していて、水貯留部カバー４８が上方から水貯留部３８に装着されることによりこの開口が閉塞されている。水貯留部カバー４８は、水貯留部３８装着時にあって、水貯留部３８の手掛け部前面壁４０と重なり合うように形成されたカバー前面壁部４８ａと水貯留部３８の開口を閉塞するカバー上面壁部４８ｂとから形成されている。
【００３４】
カバー上面壁部４８ｂは、水貯留部３８装着時に水貯留部３８の内部であって水貯留部３８の開口部３８ａの前方に位置する方形板状の整流板４９（図１、図５参照）を一体に有している。この整流板４９は、水貯留部３８の開口部３８ａに対向し、カバー上面壁部４８ｂの下面から開口部３８ａより低い位置まで延設形成されている。整流板４９は、水貯留部３８の開口部３８ａから水貯留部３８内へ流入する水を受けて、その勢いを抑制する緩衝板としても機能するとともに、水貯留部３８内の下方へと水を案内する案内板として機能する。
【００３５】
水貯留部３８の底壁４５は、前上がりの傾斜状をなし、水受け部３７の底壁４６より低い位置に設けられている。水貯留部３８は、水受け部３７より底深く形成され、水貯留部３８は水受け部３７より低い位置に設けられている。洗濯機の使用後、水貯留部３８に水が残るのを防止するため、上方から見て回転槽５内に位置して水貯留部３８の底壁４５の最低部分に、透孔４７が設けられている（図８参照）。
【００３６】
給水ケース２４の水受け部３７は、略矩形容器状をなし、水貯留部３８の開口部３８ａを介して水貯留部３８と連通している。水受け部３７の底壁４６は、水貯留部３８側へ前上がりの傾斜状に設けられている。この底壁４６の上面には、図７に示すように、矩形棒状の案内リブ４６ａが突設されている。この案内リブ４６ａは、上方から見ると前後に延びる軸に対して時計回りに所定角、例えば３０°ほど傾いている。
【００３７】
底壁４６の水貯留部３８とは反対側の後端部の左右両側には、前記回転槽５内に通じる２つの通水孔５０が設けられている。水受け部３７の左側壁５１の上端部には溢水部となる切欠き部５１ａが設けられている。水受け部３７の後側壁５２の高さは、左側壁５１の切欠き部５１ａより更に低く設定されている。
【００３８】
洗濯助剤貯留部３９は、略矩形容器状をなし、水路ケース２３の第４水路部２７ｂの下方に位置するように設けられ（図３参照）、後側壁５５の上端部は溢水部となるように他の壁面より一段低く形成されている。洗濯助剤貯留部３９の底壁５３は、略中央部にサイフォン用開口部５３ａが形成され、このサイフォン用開口部５３ａの上方にサイフォン部５４が形成されている（図６参照）。このサイフォン用開口部５３ａ及びサイフォン部５４は、給水ケース２４が給水装置２１の給水ケース収納部２１ａに収納されたときに、上方から見て回転槽５内に位置する。
【００３９】
サイフォン部５４は、洗濯助剤貯留部３９の底壁５３の前記サイフォン用開口部５３ａの周縁から上方へ突設された筒状部５４ａ（図４、図５参照）と、筒状部５４ａの上部の周壁部に形成された図示しない孔部と、筒状部５４ａを上方から覆うキャップ部５４ｂ（図３、図７参照）とから構成されている。キャップ部５４ｂの下端部は、洗濯助剤貯留部３９の底壁５３付近まで延びている。
【００４０】
図６に示すように、水受け部３７の底壁４６の裏面に、板状の案内リブ５６が突設されているとともに、洗濯助剤貯留部３９の底壁５３の裏面に、同じく板状の案内リブ５７が突設されている。この案内リブ５６，５７は、通水孔５０及びサイフォン用開口部５３ａからの水を回転槽５内の中央方向へ案内するためのもので、給水装置２１の底壁２１ｂ付近まで延びている。なお、案内リブ５６，５７は、補強部材としての機能も有する。
【００４１】
給水装置２１は、給水ケース収納部２１ａに給水ケース２４が収納された状態では、給水ケース２４の背部及び外底部との間に間隙が設けられている。給水装置２１の底壁２１ｂは、前下がりの傾斜状に形成され、先端部と水貯留部３８との間には注水孔２１ｃが設けられている。この注水孔２１ｃは上方から見て回転槽５内に位置するように設けられている。
【００４２】
給水装置２１と給水ケース２４との間の前記間隙は、給水装置２１内の水路となる。詳しくは後述するが、水受け部３７及び洗濯助剤貯留部３９から給水装置２１内に流入した水は、給水装置２１の底壁２１ｂに落水し、この底壁２１ｂに沿って前方へ流下し（図１中、矢印Ｂ２）、注水孔２１ｃより回転槽５内に注がれる（図１中、矢印Ｂ３）。
【００４３】
次に、上記した構成の作用について説明する。
使用者は、洗濯運転を行う前に回転槽５内に洗濯物を収納するとともに、給水ケース２４を引き出してその水受け部３７に洗い用の洗剤を投入する。また、洗濯助剤としての柔軟剤を使用する場合には、給水ケース２４の洗濯助剤貯留部３９に柔軟剤を投入しておく。なお、本実施形態では、洗剤を給水ケース２４の水受け部３７に投入するものとしたが、回転槽５内の洗剤投入口８に投入してもよい。
【００４４】
本実施形態の洗濯運転は、洗い行程、すすぎ行程、及び脱水行程を順に実行する。洗い行程では、洗濯物重量検知、給水、及び洗いが行われる。制御装置６２は、まず、検知した洗濯物重量に基づいて水槽４に供給される水量を決定し、回転槽５を停止させた状態で給水を開始する。この給水において、制御装置６２は、排水弁１６を閉じた状態で、第１の給水弁２２ａを開放する。これにより、給水源である水道からの水は、第１の給水弁２２ａから水路ケース２３の第１の水路２６に流れる。
【００４５】
具体的には、第１の給水弁２２ａの吐出口３５から吐出された水（図３中、矢印Ｃ１）は、第１の入水口２３ａから水路ケース２３に入り、第１水路部２６ａ（図３中、矢印Ｃ２）から第２水路部２６ｂ（図３中、矢印Ｃ３）に流れる。
【００４６】
第２水路部２６ｂに流入した水は、落水孔３２ａから落下して給水ケース２４の水受け部３７に受けられる。水受け部３７に受けられた水は、水受け部３７の底壁４６に沿って後方へ流下する。このとき、案内リブ４６ａにより給水死角となる部分に水が案内される。給水死角とは、第１の給水弁２２ａからの水の流量が少なくなる傾向にある部分のことで、洗剤が溶け残り易い部分に相当するものである。本実施形態の場合、第１の給水弁２２ａからの水が、図３に示す第２水路部２６ｂの右側前方部から供給される関係上、第２水路部２６ｂの右側後方部が給水死角に該当する。
【００４７】
そして、水受け部３７内の水は、通水孔５０から給水装置２１の底壁２１ｂに落下する（図１中、矢印Ｂ１）。これにより、水受け部３７内に予め収容されていた洗剤は、供給された水に溶かされるとともに、底壁２１ｂへ流れ込む。
底壁２１ｂに流下した水及び洗剤は、底壁２１ｂに沿って前方へ流下し（図１中、矢印Ｂ２）、注水孔２１ｃより回転槽５内に落下する（図１中、矢印Ｂ３）。これにより、回転槽５内へ洗剤が供給される。このとき、図６に示す案内リブ５６，５７に沿って水が流れることにより、回転槽５内の中央方向へ水が案内される。
【００４８】
なお、風呂水を使用する場合には、使用者は、操作パネル６１の操作部を操作して風呂水コースを選択する。風呂水コースが選択されると、制御装置６２は、給水ポンプ２５を駆動して、風呂水ホースを通して給水源である浴槽から風呂水を汲み上げて、接続ホースを通して風呂水給水口３４から水路ケース２３内に風呂水を供給する。水路ケース２３内に流入した水は、第３の水路２８（図３中、矢印Ｅ）を流れて、落水孔３２ｂより落下する。
【００４９】
落水孔３２ｂからの水は、給水ケース２４の水受け部３７に受けられ、底壁４６に沿って後方へ流下する。水受け部３７内の水は、通水孔５０から給水装置２１の底壁２１ｂに落下する（図１中、矢印Ｂ１）。これにより、水道水の場合と同様に、水受け部３７内に予め収容されていた洗剤は、供給された風呂水に溶かされるとともに、底壁２１ｂへ流れ込み、注水孔２１ｃより回転槽５内に供給される。
【００５０】
水受け部３７の水位が徐々に上昇してくると、水受け部３７が受ける水は、水貯留部３８の開口部３８ａから水貯留部３８内へ流入する（図１中、矢印Ｂ４）。水貯留部３８の開口部３８ａから水貯留部３８内へ流入した水は、水貯留部３８内に設けられた整流板４９に衝突して下方へと落下する。水貯留部３８では、水位が底部から徐々に上昇する。水貯留部３８の水位が上昇するにつれ、左右両側前面壁部４２ａ，４２ｂに設けられた左右両側第１注水孔４３ａ，４４ａ、左右両側第２注水孔４３ｂ，４４ｂ、左右両側第３注水孔４３ｃ，４４ｃの順に水を回転槽５内に向けて噴出する（図１中、矢印Ｂ５）。
【００５１】
左右両側第１注水孔４３ａ，４４ａ、左右両側第２注水孔４３ｂ，４４ｂ、及び左右両側第３注水孔４３ｃ，４４ｃから噴射される水は、上面から見てそれぞれ異なる方向に噴射される。また、低い位置に設けられている（水頭が高い）注水孔ほど径大に形成することで、注水孔に掛かる単位面積当たりの水圧を適宜調節でき、注水孔から噴射される水を所望の距離まで飛ばすことができる。
【００５２】
具体的には、図９に示すように、左側第１注水孔４３ａより噴射される水は、放水経路Ｌａを通り回転槽５の左側内周縁に落下する。同じように、左側第２注水孔４３ｂ、左側第３注水孔４３ｃより噴射される水は、それぞれ放水経路Ｌｂ，Ｌｃを通り回転槽５の左側内周縁に落下する。右側第１注水孔４４ａ、右側第２注水孔４４ｂ、及び右側第３注水孔４４ｃより噴射される水は、それぞれ放水経路Ｒａ，Ｒｂ，Ｒｃを通り回転槽５の右側内周縁に落下する。
【００５３】
水受け部３７及び水貯留部３８内の水位がさらに上昇していき、水位Ｘ（図１中に示す二点鎖線）を越えたら水受け部３７の後側壁５２の上端部から溢水し、給水装置２１内に水が溢れ出る（図１中、矢印Ｂ６）。この溢れ出た水は、給水装置２１の底壁２１ｂを前方へ流下し（図１中、矢印Ｂ２）、注水孔２１ｃより回転槽５内に落下する（図１中、矢印Ｂ３）。このときも、案内リブ５６，５７により回転槽５内の中央方向へ水が案内される。
【００５４】
なお、給水源の水圧が高い場合、水受け部３７及び水貯留部３８内の水は、水位Ｘを越えて水受け部３７の左側壁５１の上端部に設けられた切欠き部５１ａより溢水し、給水装置２１内に溢れ出る。この溢れ出た水も、給水装置２１の底壁２１ｂを前方へ流下し（図１中、矢印図２）、案内リブ５６，５７により回転槽５内の中央方向へ案内されて、注水孔２１ｃより回転槽５内に落下する（図１中、矢印Ｂ３）。
【００５５】
このようにして、給水ケース２４によって回転槽５内の給水装置２１の真下及び回転槽５の内周縁部へと広範囲に給水され、洗濯物Ｍを効率良く濡らす。回転槽５に所定量の水が溜まると、制御装置６２は、第１の給水弁２２ａを閉じ、代わりにモータ１３によりパルセータ１２を正逆回転駆動させる。これにより、回転槽５内に収容された洗濯物Ｍの洗いが行われる。
【００５６】
制御装置６２は、洗い行程が終了すると、すすぎ行程を実行する。すすぎ行程では、排水、第１の中間脱水、シャワーすすぎ、第２の中間脱水、給水、及びためすすぎが行われる。制御装置６２は、まず、パルセータ１２の回転駆動を停止させ、排水弁１６を開放させて、水槽４内の水を導出管１５及び排水管１７から機外へ排出する。
【００５７】
次に、制御装置６２は、排水弁１６を開放させた状態で、回転槽５を一方向に高速回転駆動させ、回転槽５内にある洗濯物Ｍの遠心脱水、すなわち第１の中間脱水を行う。
制御装置６２は、中間脱水が終了すると、排水弁１６を開放させた状態で回転槽５を低速度で回転させながら、第１の給水弁２２ａを開放させてシャワーすすぎを実行する。このとき、給水源からの水は、上述した洗い行程時の給水と同様に、給水装置２１から回転槽５内に供給される。これにより、すすぎに用いられるきれいな水を、回転槽５内の広範囲に供給でき、第１の中間脱水時に回転槽５内の内周縁部に偏った洗濯物Ｍに直接掛けることができ、水を効率良く利用してシャワーすすぎを行うことができる。
【００５８】
次に、制御装置６２は、第１の給水弁２２ａを閉じ、排水弁１６を開放した状態で、回転槽５を一方向に高速回転駆動させ、回転槽５内にある洗濯物Ｍの遠心脱水、すなわち第２の中間脱水を行う。
制御装置６２は、第２の中間脱水が終了すると、回転槽５の回転を停止させるとともに排水弁１６を閉塞させ、第１の給水弁２２ａを開放させて回転槽５内に給水を行う。このときも、給水源からの水は、上述した洗い行程時の給水と同様に、給水装置２１から回転槽５内に供給される。これにより、給水源からの水を、回転槽５内の広範囲に供給でき第２の中間脱水時に回転槽５内の内周縁部に偏った洗濯物Ｍに直接掛けることができ、洗濯物Ｍの水浸かりを効率良く行うことができる。そして、制御装置６２は、パルセータ１２を回転させ、所定時間経過後に第１の給水弁２２ａを閉塞し、第２の給水弁２２ｂを所定時間開放し、ためすすぎを実行する。
【００５９】
ためすすぎの際に第２の給水弁２２ｂが開放されると、給水源からの水は、第２の給水弁２２ｂから水路ケース２３の第２の水路２７に流れる。具体的には、第２の給水弁２２ｂの吐出口３５から吐出された水（図３中、矢印Ｄ１）は、第２の入水口２３ｂから水路ケース２３に入り、第３水路部２７ａ（図３中、矢印Ｄ２，Ｄ３，Ｄ４）から第４水路部２７ｂ（図３中、矢印Ｄ５）に流れる。
【００６０】
第４水路部２７ｂに流入した水は落水孔３３から落水し、給水ケース２４の洗濯助剤貯留部３９に給水される。これにより、洗濯助剤貯留部３９内に予め収容されていた柔軟剤は、洗濯助剤貯留部３９内に供給された水に溶かされる。洗濯助剤貯留部３９内に供給された水の水位がサイフォン部５４の前記孔部の高さに達すると、洗濯助剤貯留部３９に供給された水（柔軟剤を含む水）は、サイフォンの原理によって筒状部５４ａの外周壁とキャップ部５４ｂの内周壁との間、前記孔部、筒状部５４ａの内周壁内、前記サイフォン用開口部５３ａを通り、このサイフォン用開口部５３ａから流下された水は、回転槽５内の給水装置２１の真下に注水される。これにより、回転槽５内に柔軟剤が供給される。
【００６１】
なお、洗濯助剤貯留部３９に供給される水量が多く、洗濯助剤貯留部３９の水位が上昇を続け後側壁５５の上端部に達すると、洗濯助剤貯留部３９に供給された水は後側壁５５の上端部より溢水する。洗濯助剤貯留部３９から溢れた水は、給水装置２１の底壁２１ｂに落水し、この底壁２１ｂに沿って前方へ流下し（図１中、矢印Ｂ２）、注水孔２１ｃより回転槽５内に注がれる（図１中、矢印Ｂ３）。
【００６２】
制御装置６２は、すすぎ行程が終了すると、脱水行程を実行する。脱水行程では、排水及び脱水が行われる。制御装置６２は、パルセータ１２の回転を停止させ、排水弁１６を開放させて排水を実行する。次に、制御装置６２は、排水弁１６を開放させた状態で回転槽５を一方向に高速回転させて遠心脱水を実行する。
脱水行程が終了することにより、洗濯の運転コースは終了する。
【００６３】
上述した本実施形態によれば、次の効果を奏する。
給水ケース２４の水受け部３７の底壁４６を前上がりの傾斜状にしているので、給水ケース２４を後方に押し込んで給水ケース収容部２１ａに収納するときに振動しても、水受け部３７に投入された洗剤が、水受け部３７の前方に位置する水貯留部３８内へ入ることを防ぐことができる。これにより、水貯留部３８内に洗剤が多量に入って注水孔４３ａ〜４３ｃ，４４ａ〜４４ｃを塞いでしまい、所定の注水の妨げとなることを防ぐことができる。
【００６４】
そして、底壁４６の後端部に通水孔５０を設けたことにより、溶けた洗剤が水貯留部３８とは反対側へ流れるようになるので、水貯留部３８側へ入り込む洗剤の量を減らすことができる。そして、通水孔５０から底壁２１ｂを経由して回転槽５内へと洗剤とともに水を供給することができる。
さらに、水受け部３７の底壁４６上面に案内リブ４６ａを設けたことで、給水弁２２からの給水死角となる部分に水を案内することができるので、水受け部３７内に洗剤が溶け残るのを防ぐことができる。
【００６５】
また、水貯留部３８の最下部に複数の透孔４７を設けたので、洗濯終了後の水貯留部３８内に水及び洗剤が残るのを防ぐことができる。また、給水量が少なく、注水孔４３ａ〜４３ｃ，４４ａ〜４４ｃから注水されない場合でも、給水装置２１の真下に注水することができる。
【００６６】
水受け部３７の底壁４６裏面に、通水孔５０及びサイフォン用開口部５３ａからの水及び洗剤を回転槽５内の中央方向へ案内する案内リブ５６，５７を設けたので、水及び洗剤を回転槽５内に確実に供給することができる。また、案内リブ５６，５７により水の流れが整えられ、給水ケース収容部２１ａ内の隅へ洗剤が流れ込むのを避けることができるので、洗剤を給水ケース収容部２１ａ内に残留させることがない。
【００６７】
また、水貯留部３８の左右両側前面壁部４２ａ，４２ｂは、回転槽５内を上方から臨むように設けられ、前方に膨出するように略円弧状に形成されているとともに、注水孔４３ａ〜４３ｃ，４４ａ〜４４ｃが面直に形成されているため、水貯留部３８に溜まった水の水頭（圧力）が注水孔４３ａ〜４３ｃ，４４ａ〜４４ｃに掛かり、注水孔４３ａ〜４３ｃ，４４ａ〜４４ｃからより遠くに水を噴射させることができる。
【００６８】
そして、左右両側の前面壁部４２ａ，４２ｂに、注水孔４３ａ〜４３ｃ，４４ａ〜４４ｃが設けられているため、給水ケース２４の左右両側から回転槽５内へ広範囲にわたって注水することができる。
さらに、注水孔４３ａ〜４３ｃ，４４ａ〜４４ｃから注水される水の方向はそれぞれ異なるように設定されているため、回転槽５内へより一層広範囲に亘って注水することができる。
【００６９】
また、水貯留部３８の左右両側前面壁部４２ａ，４２ｂの下部に注水孔４３ａ，４４ａが設けられているため、給水源の水圧が低く水貯留部３８の水位が低い場合でも、注水孔４３ａ，４４ａから回転槽５内に注水することができる。
また、低い位置に設けられている（水頭が高い）注水孔ほど径大に形成することで、注水孔４３ａ〜４３ｃ，４４ａ〜４４ｃに掛かる単位面積当たりの水圧を適宜調節でき、注水孔４３ａ〜４３ｃ，４４ａ〜４４ｃから噴射される水を所望の距離まで飛ばすことができる。
【００７０】
また、給水ケース２４の水受け部３７が受けた水が水貯留部３８に流入する際に、整流板４９で水を受け、一旦、水の勢いを抑制するので、注水孔４３ａ〜４３ｃ、４４ａ〜４４ｃから回転槽５内に注水される水は、水貯留部３８に流入する際の水の勢いの影響を受けず、注水孔４３ａ〜４３ｃ，４４ａ〜４４ｃに加わる水頭により噴射される。このため、注水孔４３ａ〜４３ｃ，４４ａ〜４４ｃを設ける高さや大きさを適宜調節することで回転槽５内の所望の場所に落水させることができる。
【００７１】
そして、給水源の水圧が高く、給水ケース２４への給水量が多い場合で、給水ケース２４の水受け部３７及び洗濯助剤貯留部３９から溢水することがあっても、溢れた水は、給水装置２１と給水ケース２４との間の水路を通って回転槽５内に注水される。このため、給水ケース２４から溢れた水が機外へ漏洩するといったおそれはない。
【００７２】
また、図９に示したように、注水孔４３ａ〜４３ｃ，４４ａ〜４４ｃから噴出される水の落水位置を回転槽５内の内周縁部になるように設定することで、脱水後における回転槽５内の内周縁部に偏った洗濯物Ｍに水を直接掛けることができ、洗濯物Ｍの水浸かりを効率良く行うことができ、効率良く水を利用することができる。
【００７３】
以上、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。
例えば、水路ケース２３に設けられた落水孔３２ａ，３２ｂ，３３の個数は適宜変更してもよく、注水孔４３ａ〜４３ｃ，４４ａ〜４４ｃ、透孔４７、及び通水孔５０の個数も適宜変更してよい。
また、通水孔５０は、水受け部３７の後側壁５２に設けてもよく、通水孔５０の代わりに、スリット状の通水溝を設けてもよい。
また、案内リブ５６，５７は、給水ケース２４の構造に合わせて適宜設置位置を変更してもよく、給水ケース２４は、洗濯助剤貯留部３９のないものでもよい。
【００７４】
これら実施形態やその変形は、発明の範囲や要旨に含まれるとともに、特許請求の範囲に記載された発明とその均等の範囲に含まれる。
以上のように本実施形態の洗濯機によれば、給水ケースの水受け部の底面を貯留部側へ前上がりに傾斜させるようにしたので、洗剤が多量に貯留部に入ることを防止することができ、洗剤が溶け残って堆積することがない。
【符号の説明】
【００７５】
図面中、１は洗濯機本体、３ａ洗濯物出入口、４は水槽、５は回転槽、２１は給水装置、２２は給水弁、２４は給水ケース、３７は水受け部、３８は水貯留部（貯留部）、３８ａは開口部、３９は洗濯助剤貯留部、４２ａは左側前面壁部（壁面）、４２ｂは右側前面壁部（壁面）、４３ａ〜４３ｃ，４４ａ〜４４ｃは注水孔、４６ａ，５６，５７は案内リブ、４７は透孔、５０は通水孔を示す。
【図１】
2012029710.tif 000003
【図２】
2012029710.tif 000004
【図３】
2012029710.tif 000005
【図４】
2012029710.tif 000006
【図５】
2012029710.tif 000007
【図６】
2012029710.tif 000008
【図７】
2012029710.tif 000009
【図８】
2012029710.tif 000010
【図９】
2012029710.tif 000011